(57)【要約】【課題】  少ない個数の発光ダイオードで均一に照明することが可能な照明ユニットを提供すること。【解決手段】  平板状に形成され、一端面を入射面２２ｃとし、一主平面を出射面とする導光板２２と、  入射面に対向するように配置された複数の発光ダイオードＬと、を備え、  複数の発光ダイオードは、  入射面の略中央に配置され、入射面と略平行な第１発光面Ｅ１を有する第１発光ダイオードＬ１と、  第１発光ダイオードに隣接し、第１発光ダイオードの第１発光面に対して外方を向いた第２発光面Ｅ２を有する第２発光ダイオードＬ２と、  第２発光ダイオードとは反対側で第１発光ダイオードに隣接し、第１発光面の法線に対して第２発光面と線対称の第３発光面Ｅ３を有する第３発光ダイオードＬ３と、  を含むことを特徴とする。【選択図】    図３
2010056030.tif 000002
【特許請求の範囲】
【請求項１】
平板状に形成され、一端面を入射面とし、一主平面を出射面とする導光板と、
前記入射面に対向するように配置された複数の発光ダイオードと、を備え、
前記複数の発光ダイオードは、
前記入射面の略中央に配置され、前記入射面と略平行な第１発光面を有する第１発光ダイオードと、
前記第１発光ダイオードに隣接し、前記第１発光ダイオードの第１発光面に対して外方を向いた第２発光面を有する第２発光ダイオードと、
前記第２発光ダイオードとは反対側で前記第１発光ダイオードに隣接し、前記第１発光面の法線に対して前記第２発光面と線対称の第３発光面を有する第３発光ダイオードと、
を含むことを特徴とする照明ユニット。
【請求項２】
前記複数の発光ダイオードは、一直線上に配列されたことを特徴とする請求項１に記載の照明ユニット。
【請求項３】
前記入射面は、前記複数の発光ダイオードの配列方向と平行な長辺を有する長方形状に形成されたことを特徴とする請求項２に記載の照明ユニット。
【請求項４】
前記入射面は、前記複数の発光ダイオードのそれぞれの発光面と平行となるように階段状に形成されたことを特徴とする請求項２に記載の照明ユニット。
【請求項５】
前記複数の発光ダイオードは、曲線上に配列されたことを特徴とする請求項１に記載の照明ユニット。
【請求項６】
前記入射面は、前記複数の発光ダイオードのそれぞれの発光面と略平行となるように円筒面状に形成されたことを特徴とする請求項５に記載の照明ユニット。
【請求項７】
一対の基板間に液晶層を保持した液晶表示パネルと、
前記液晶表示パネルに重ねて配置され、前記液晶表示パネルを照明する照明ユニットと、を備えた液晶表示装置であって、
前記照明ユニットは、
平板状に形成され、一端面を入射面とし、前記液晶表示パネルに対向する一主平面を出射面とする導光板と、
前記入射面に対向するように配置された複数の発光ダイオードと、を備え、
前記複数の発光ダイオードは、
前記入射面と略平行な第１発光面を有する第１発光ダイオードと、
前記第１発光ダイオードに隣接し、前記第１発光ダイオードの第１発光面に対して外方を向いた第２発光面を有する第２発光ダイオードと、
前記第２発光ダイオードとは反対側で前記第１発光ダイオードに隣接し、前記第１発光面の法線に対して前記第２発光面と線対称の第３発光面を有する第３発光ダイオードと、
を含むことを特徴とする液晶表示装置。
【発明の詳細な説明】
【技術分野】
【０００１】
この発明は、照明ユニット及び照明ユニットを備えた液晶表示装置に係り、特に、光源として複数の発光ダイオード（ＬＥＤ）を備えた照明ユニット及びこれを備えた液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話などの携帯端末機器や、カーナビゲーション装置、アミューズメント機器などの表示装置としても利用されている。
【０００３】
このような液晶表示装置としては、外光を選択的に反射して画像を表示する反射型や、バックライト光を選択的に透過して画像を表示する透過型、さらには、反射型及び透過型の両方の機能を兼ね備えた半透過型などのモジュールが開発されている。
【０００４】
このうち、透過型の液晶表示装置は、透過型の液晶表示パネル及び液晶表示パネルの背面側に配置された照明ユニット（すなわちバックライト）を備えて構成されている。このような液晶表示装置に搭載される照明ユニットとして、近年では、高輝度、低消費電力、長寿命といった利点に着目して、発光ダイオードを光源として適用したものが実用化されている。
【０００５】
例えば、特許文献１によれば、導光体の光入射端面の少なくとも一部に複数のレンズ列が略平行に形成された面光源装置用導光体が開示されている。これによれば、レンズ列によって導光体に入射した光の配光分布を広げ、発光ダイオードの数を少なくしても輝度の均斉度の不均一性を解消しようとするものである。
【特許文献１】特開２００４−１１１３５２号公報
【発明の開示】
【発明が解決しようとする課題】
【０００６】
近年の環境保護の観点から、液晶表示装置への要望として、水銀レス化、低消費電力化が挙げられている。発光ダイオードを光源として利用する照明ユニットは、これらの要望を満足するものである。
【０００７】
発光ダイオードを利用した場合には、発光ダイオード近辺は明るく、発光ダイオード間は暗くなるといった明暗のムラ（輝度ムラ）が課題として挙げられる。このような課題に対しては、発光ダイオードの使用個数を増やし、発光ダイオード間のピッチを狭くし、また、表示エリアから発光ダイオードまでの距離を離すといった対策を施している。
【０００８】
しかしながら、発光ダイオードの個数を増やすと、コストの増大を招き、しかも、消費電力が増大するといったデメリットがある。さらに、表示エリアから発光ダイオードの距離を離すと、液晶表示装置の外形が大きくなってしまい、狭額縁化の妨げとなるといったデメリットもある。
【０００９】
この発明は、上述した問題点に鑑みなされたものであって、その目的は、少ない個数の発光ダイオードで均一に照明することが可能な照明ユニット及びこの照明ユニットを備えた液晶表示装置を提供することにある。
【課題を解決するための手段】
【００１０】
この発明の態様による照明ユニットは、
平板状に形成され、一端面を入射面とし、一主平面を出射面とする導光板と、
前記入射面に対向するように配置された複数の発光ダイオードと、を備え、
前記複数の発光ダイオードは、
前記入射面の略中央に配置され、前記入射面と略平行な第１発光面を有する第１発光ダイオードと、
前記第１発光ダイオードに隣接し、前記第１発光ダイオードの第１発光面に対して外方を向いた第２発光面を有する第２発光ダイオードと、
前記第２発光ダイオードとは反対側で前記第１発光ダイオードに隣接し、前記第１発光面の法線に対して前記第２発光面と線対称の第３発光面を有する第３発光ダイオードと、
を含むことを特徴とする。
【００１１】
この発明の態様による液晶表示装置は、
一対の基板間に液晶層を保持した液晶表示パネルと、
前記液晶表示パネルに重ねて配置され、前記液晶表示パネルを照明する照明ユニットと、を備えた液晶表示装置であって、
前記照明ユニットは、
平板状に形成され、一端面を入射面とし、前記液晶表示パネルに対向する一主平面を出射面とする導光板と、
前記入射面に対向するように配置された複数の発光ダイオードと、を備え、
前記複数の発光ダイオードは、
前記入射面と略平行な第１発光面を有する第１発光ダイオードと、
前記第１発光ダイオードに隣接し、前記第１発光ダイオードの第１発光面に対して外方を向いた第２発光面を有する第２発光ダイオードと、
前記第２発光ダイオードとは反対側で前記第１発光ダイオードに隣接し、前記第１発光面の法線に対して前記第２発光面と線対称の第３発光面を有する第３発光ダイオードと、
を含むことを特徴とする。
【発明の効果】
【００１２】
この発明によれば、少ない個数の発光ダイオードで均一に照明することが可能な照明ユニット及びこの照明ユニットを備えた液晶表示装置を提供することができる。
【発明を実施するための最良の形態】
【００１３】
以下、この発明の一実施の形態に係る照明ユニット及び液晶表示装置について図面を参照して説明する。ここでは、照明ユニットであるバックライトユニットからのバックライト光を選択的に透過して画像を表示する透過表示機能を有した液晶表示装置について説明する。
【００１４】
すなわち、図１に示すように、液晶表示装置１は、略矩形平板状の透過型の液晶表示パネル２と、この液晶表示パネル２を照明するバックライトユニット１５と、を備えている。この液晶表示パネル２は、一対の基板間に液晶層を保持することによって構成されている。すなわち、液晶表示パネル２は、略矩形状のアレイ基板３及び対向基板４と、これらのアレイ基板３と対向基板４との間に封入された液晶層５と、を備えている。アレイ基板３と対向基板４とは、図示しないシール材を介して貼り合わせられている。
【００１５】
この液晶表示パネル２は、シール材によって囲まれた内側に、画像を表示する略矩形状のアクティブエリア（表示エリア）６を備えている。このアクティブエリア６は、マトリクス状に配置された複数の画素ＰＸによって構成されている。
【００１６】
アレイ基板３は、アクティブエリア６において、複数の走査線Ｙ（１、２、…）、複数の信号線Ｘ（１、２、…）、各画素ＰＸに配置されたスイッチング素子７、各画素ＰＸのスイッチング素子７に接続された画素電極８などを備えている。画素電極８は、インジウム・ティン・オキサイド（ＩＴＯ）やインジウム・ジンク・オキサイド（ＩＺＯ）などの光透過性を有する導電材料によって形成されている。
【００１７】
各走査線Ｙは、画素ＰＸの行方向に沿って延出している。各信号線Ｘは、絶縁層を介して各走査線Ｙに互いに交差するように、画素ＰＸの列方向に沿って延出している。各スイッチング素子７は、走査線Ｙと信号線Ｘとの交差部を含む領域に配置されている。
【００１８】
このスイッチング素子７は、例えば、アモルファスシリコンやポリシリコンなどによって形成された半導体層を備えた薄膜トランジスタ（ＴＦＴ）などで構成されている。このスイッチング素子７のゲート電極７Ｇは、対応する走査線Ｙに電気的に接続されている（あるいは走査線と一体に形成されている）。スイッチング素子７のソース電極７Ｓは、対応する信号線Ｘに電気的に接続されている（あるいは信号線と一体に形成されている）。スイッチング素子７のドレイン電極７Ｄは、対応する画素ＰＸの画素電極８に電気的に接続されている。
【００１９】
画素電極８との間の電位差により液晶層５に電圧を印加するためのコモン電極９は、アレイ基板３に備えられても良いし、対向基板４に備えられても良い。すなわち、横電界（基板の主面にほぼ平行な電界）を主として利用する横電界モードでは、アレイ基板３は、画素電極８とは電気的に絶縁され且つ画素電極８に対向するコモン電極９を備えている。また、縦電界（基板の主面にほぼ垂直な電界）を主として利用する縦電界モードでは、対向基板４は、液晶層５を介して画素電極８に対向するコモン電極９を備えている。このようなコモン電極９は、画素電極８と同様に、光透過性を有する導電材料によって形成されている。
【００２０】
アレイ基板３及び対向基板４の液晶層５と接する面は、それぞれ配向膜によって覆われている。これらのアレイ基板３及び対向基板４は、図示しないスペーサ（例えば、樹脂材料などにより一方の基板に一体的に形成された柱状スペーサ）を介して、それぞれの配向膜を対向させた状態で貼り合わせられている。このとき、アレイ基板３と対向基板４との間には、スペーサによって所定のギャップが形成されている。液晶層５は、アレイ基板３と対向基板４とのギャップに封止された液晶組成物によって形成されている。
【００２１】
また、液晶表示パネル２において、アレイ基板３の外面及び対向基板４の外面には、それぞれ光学素子ＯＤ１及びＯＤ２が設けられている。これらの光学素子ＯＤ１及びＯＤ２は、液晶層５の特性に合わせて偏光方向を設定した偏光板を含んでいる。また、光学素子ＯＤ１及びＯＤ２は、必要に応じて位相差板を含んでいても良い。
【００２２】
カラー表示タイプの液晶表示装置では、液晶表示パネル２は、アクティブエリア６において、複数種類の画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板３または対向基板４の主面に配置される。
【００２３】
液晶表示装置１は、矩形枠状のベゼルカバー１１を備えている。このベゼルカバー１１は、液晶表示パネル２のアクティブエリア６を露出させる矩形状の窓部１１Ａ、及び、窓部１１Ａを規定する矩形枠状の本体部１１Ｂを備えている。上述したような構成の液晶表示パネル２は、バックライトユニット１５とベゼルカバー１１との間に挟持されている。このとき、バックライトユニット１５は、その表面を液晶表示パネル２の背面側（すなわち、アレイ基板側）に対向させた状態で配置され、液晶表示パネル２を背面側から照明する。
【００２４】
バックライトユニット１５は、図２に示すように、光源ユニット２１、導光板２２、フレーム２３、バックカバー２５、光学シート２６などを備えている。
【００２５】
光源ユニット２１は、点光源である複数の発光ダイオード（ＬＥＤ）Ｌ、これらの発光ダイオードＬが実装されるフィルム基板などを備えて構成されている。発光ダイオードＬの発光面Ｅは、導光板２２に対向している。
【００２６】
導光板２２は、光源ユニット２１からの出射光を液晶表示パネル２に向けて案内する機能を有している。この導光板２２は、例えば、アクリル系樹脂やポリカーボネート系樹脂などの光透過性を有する樹脂材料により形成されている。導光板２２は、その一端に肉薄部を有するとともに肉薄部に対向する他端に肉厚部を有する楔形状のものや、全体に亘って略均一な厚さを有する平板形状のものなどがあるが、この実施の形態では、矩形平板状のものを採用している。
【００２７】
この導光板２２は、液晶表示パネル２側に面した矩形状の第１主平面２２ａと、この第１主平面２２ａに対向した矩形状の第２主平面２２ｂと、これらの第１主平面２２ａと第２主平面２２ｂとを接続する４つの端面とを有している。一端面２２ｃは、光源ユニット２１と対向する入射面として機能する。また、第１主平面２２ａは、液晶表示パネル２に向けて光を出射する出射面として機能する。
【００２８】
フレーム２３は、主に導光板２２を保持するように構成されている。ここでは、このフレーム２３は、液晶表示パネル２も保持するように構成されている。このようなフレーム２３は、例えば、樹脂材料によって形成されている。ベゼルカバー１１は、フレーム２３との間に液晶表示パネル２を挟持した状態で、例えば、フレーム２３に対してカシメやネジ止めなどの手法により固定されている。
【００２９】
バックカバー２５は、概ね箱型に形成され、フレーム２３などとともに導光板２２などを収納可能である。このようなバックカバー２５は、例えば、樹脂材料によって形成されている。バックカバー２５は、例えば、フレーム２３に対してカシメやネジ止めなどの手法により固定されている。
【００３０】
光学シート２６としては、液晶表示パネル２と導光板２２の第１主平面２２ａとの間に配置された光学シート２６Ａ、及び、バックカバー２５と導光板２２の第２主平面２２ｂとの間に配置された光学シート２６Ｂが備えられている。光学シート２６Ａは、例えば、集光シートや拡散シート、複数の光学的機能を兼ね備えたシートなどであり、導光板２２から出射した光に対して所定の光学特性を付与して液晶表示パネル２に導く。光学シート２６Ｂは、反射シートであり、導光板２２の第２主平面２２ｂから漏れ出た光を再び導光板２２に向けて反射する。これらの光学シート２６は、導光板２２の第１主平面２２ａ及び第２主平面２２ｂと略同等のサイズを有する略矩形状に形成されている。
【００３１】
以下に、より詳細な構成例について説明する。
【００３２】
≪第１構成例≫
図３に示すように、光源ユニット２１は、複数の発光ダイオードＬ１、Ｌ２、Ｌ３…を備えている。これらの各発光ダイオードＬは、導光板２２の入射面２２ｃに対向するように配置されている。
【００３３】
発光ダイオードＬ１は、入射面２２ｃの略中央、すなわち、入射面２２ｃの長手方向（あるいは幅方向）Ｗに沿った略中間の位置に配置されている。この発光ダイオードＬ１は、入射面２２ｃと略平行な発光面Ｅ１を有している。つまり、発光面Ｅ１の法線に相当する発光軸Ｄ１は、入射面２２ｃに直交する。
【００３４】
発光ダイオードＬ２は、発光ダイオードＬ１に隣接するように配置されている。すなわち、発光ダイオードＬ２は、入射面２２ｃの長手方向Ｗに沿って略中央より外方に配置されている。この発光ダイオードＬ２は、入射面２２ｃに対して非平行な発光面Ｅ２を有している。ここでは、発光面Ｅ２は、発光ダイオードＬ１の発光面Ｅ１に対して外方を向いている。つまり、発光面Ｅ２の法線に相当する発光軸Ｄ２は、入射面２２ｃに直交せず、導光板２２側で発光軸Ｄ１と交差しない（発光ダイオードＬ１の発光軸Ｄ１に対し放射状に広がる方向の発光軸Ｄ２を有する）。
【００３５】
発光ダイオードＬ３は、発光ダイオードＬ２とは反対側で発光ダイオードＬ１に隣接するように配置されている。すなわち、発光ダイオードＬ３は、入射面２２ｃの長手方向Ｗに沿って略中央より外方において、発光ダイオードＬ１を挟んで発光ダイオードＬ２と略対称な位置に配置されている。
【００３６】
この発光ダイオードＬ３は、入射面２２ｃに対して非平行な発光面Ｅ３を有している。ここでは、発光面Ｅ３は、発光ダイオードＬ１の発光面Ｅ１に対して外方を向いている。特に、この発光面Ｅ３は、発光面Ｅ１の法線（Ｄ１）に対して発光面Ｅ２と線対称となる。つまり、発光面Ｅ２の法線に相当する発光軸Ｄ３は、入射面２２ｃに直交せず、導光板２２側で発光軸Ｄ１及びＤ２と交差しない（発光ダイオードＬ１の発光軸Ｄ１に対し放射状に広がる方向の発光軸Ｄ３を有する）。
【００３７】
図３に示した例では、光源ユニット２１は、７個の発光ダイオードＬを備えている。すなわち、光源ユニット２１は、さらに、発光ダイオードＬ１とは反対側で発光ダイオードＬ２に隣接する発光ダイオードＬ４、発光ダイオードＬ２とは反対側で発光ダイオードＬ４に隣接する発光ダイオードＬ６、発光ダイオードＬ１とは反対側で発光ダイオードＬ３に隣接する発光ダイオードＬ５、発光ダイオードＬ３とは反対側で発光ダイオードＬ５に隣接する発光ダイオードＬ７を備えている。
【００３８】
なお、これらの発光ダイオードＬは、それぞれの発光面Ｅの法線に相当する発光軸Ｄが同一水平面内に位置するように配置され、つまり、図２に示したような垂直断面内においていずれの発光ダイオードＬについても発光軸Ｄと水平面とのなす角度（仰角）は０度である。
【００３９】
このような構成によれば、各発光ダイオードＬから出射された出射光は、放射状に広がるが、隣接する発光ダイオードＬが外方を向いているため、出射光が重複する領域を減らすことができる。つまり、隣接する発光ダイオードＬの間のピッチを拡大することができる。このため、少ない個数の発光ダイオードＬで効率よく多くの面積を均一に照明することができる。
【００４０】
したがって、発光ダイオードを利用した照明ユニットにおいて、発光ダイオードの個数を増やすことなく輝度ムラが抑制され、安価で、しかも、低消費電力の照明ユニットを構成することが可能となる。また、このような照明ユニットを備えた液晶表示装置によれば、表示エリアから発光ダイオードまでの距離を離す必要がなく、狭額縁化が実現できる。
【００４１】
特に、図３に示した例では、複数の発光ダイオードＬは、一直線上に配列されている（つまり、各発光ダイオードＬの中心が仮想の直線ＬＮの上に位置している）。
【００４２】
一方で、図４に示すように、導光板２２の入射面２２ｃは、長方形状に形成されている。すなわち、入射面２２ｃは、複数の発光ダイオードＬの配列方向（つまり、直線ＬＮ）と平行な一対の長辺ＬＳを有するとともに、導光板２２の厚み方向に沿った一対の短辺ＳＳを有する長方形状である。
【００４３】
このような構成においては、図５に示すように、発光ダイオードＬ１から離れた発光ダイオードほど発光面Ｅと入射面２２ｃとのなす角度θが大きい。すなわち、発光ダイオードＬ１に近い発光ダイオードＬ２の発光面Ｅ２と入射面２２ｃとのなす角度θ２は０度より大きい角度であり、また、発光ダイオードＬ４の発光面Ｅ４と入射面２２ｃとのなす角度θ４はθ２より大きい角度であり、さらに、発光ダイオードＬ６の発光面Ｅ６と入射面２２ｃとのなす角度θ６はθ４より大きい角度である。なお、発光ダイオードＬ１の発光面Ｅ１と入射面２２ｃとのなす角度は０度である。
【００４４】
同様に、発光ダイオードＬ１に近い発光ダイオードＬ３の発光面Ｅ３と入射面２２ｃとのなす角度θ３は０度より大きい角度であり、また、発光ダイオードＬ５の発光面Ｅ５と入射面２２ｃとのなす角度θ５はθ３より大きい角度であり、さらに、発光ダイオードＬ７の発光面Ｅ７と入射面２２ｃとのなす角度θ７はθ５より大きい角度である。
【００４５】
なお、発光ダイオードＬ２及びＬ３が発光ダイオードＬ１から略等距離に位置している場合、θ２及びθ３は略同一である。同様に、発光ダイオードＬ４及びＬ５が発光ダイオードＬ１から略等距離に位置している場合、θ４及びθ５は略同一であり、発光ダイオードＬ６及びＬ７が発光ダイオードＬ１から略等距離に位置している場合、θ６及びθ７は略同一である。
【００４６】
発光ダイオードからの出射光については、通常、発光軸付近の発光強度が高く、発光軸から離れるに従って発光強度が低減する。θ２乃至θ７は、各発光ダイオードからの出射光の強度分布や、広がり角度を考慮して適宜設定される。この場合、出射光の重なりをできるだけ低減するとともに、輝度分布が均一化するような設定とすることが肝要である。
【００４７】
≪第２構成例≫
図６に示すように、光源ユニット２１は、複数の発光ダイオードＬ１、Ｌ２、Ｌ３…を備えている。これらの各発光ダイオードＬは、第１構成例と同様に、導光板２２の入射面２２ｃに対向するように配置されている。また、複数の発光ダイオードＬは、第１構成例と同様に、一直線上に配列されている。
【００４８】
特に、この第２構成例においては、導光板２２の入射面２２ｃは、複数の発光ダイオードＬのそれぞれの発光面Ｅと略平行となるように階段状に形成されている。つまり、すべての発光ダイオードＬの発光面Ｅの法線に相当する発光軸Ｄは、入射面２２ｃに略直交する。
【００４９】
このような構成によれば、第１構成例と同様の効果が得られるとともに、いずれの発光ダイオードＬについても発光軸Ｄが入射面２２ｃに直交するため、各発光ダイオードＬから出射された出射光の導光板２２への入射効率が向上する。つまり、光の利用効率が向上し、発光ダイオードＬを相対的に低電力で駆動しても、高い輝度の照明ユニットを提供できる。
【００５０】
≪第３構成例≫
図７に示すように、光源ユニット２１は、複数の発光ダイオードＬ１、Ｌ２、Ｌ３…を備えている。これらの各発光ダイオードＬは、第１構成例と同様に、導光板２２の入射面２２ｃに対向するように配置されている。
【００５１】
特に、この第３構成例においては、複数の発光ダイオードＬは、第１構成例とは異なり、曲線上に配列されている（つまり、各発光ダイオードＬの中心が仮想の曲線Ｃの上に位置している）。
【００５２】
一方で、導光板２２の入射面２２ｃは、複数の発光ダイオードＬのそれぞれの発光面Ｅと略平行となるように円筒面状に形成されている。つまり、すべての発光ダイオードＬの発光面Ｅの法線に相当する発光軸Ｄは、入射面２２ｃに略直交する。
【００５３】
このような構成によれば、第２構成例と同様の効果が得られる。
【００５４】
以上説明したように、この実施の形態の照明ユニットによれば、少ない個数の発光ダイオードで均一に照明することが可能となり、コスト及び消費電力の低減が可能となる。また、このような照明ユニットを備えた液晶表示装置によれば、照明ユニットに起因した表示ムラが抑制され、高品位の画像を表示することが可能となる。
【００５５】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５６】
上述した実施の形態において説明した透過型の液晶表示パネルとは、アクティブエリア６の少なくとも一部にバックライトユニット１５からの照明光を選択的に透過する透過表示機能を有しているものであれば如何なる構成であっても良く、各画素が反射部及び透過部を有するような半透過型液晶表示パネルも含まれる。
【図面の簡単な説明】
【００５７】
【図１】図１は、この発明の一実施の形態に係る液晶表示装置の構造を概略的に示す分解斜視図である。
【図２】図２は、図１に示した液晶表示装置における液晶表示パネル及びバックライトユニットの構造を概略的に示す断面図である。
【図３】図３は、第１構成例に係るバックライトユニットの概略平面図である。
【図４】図４は、図３に示したバックライトユニットに適用される導光板の構造を概略的に示す斜視図である。
【図５】図５は、図３に示したバックライトユニットにおける各発光ダイオードと入射面とのなす角度を説明するための平面図である。
【図６】図６は、第２構成例に係るバックライトユニットの概略平面図である。
【図７】図７は、第３構成例に係るバックライトユニットの概略平面図である。
【符号の説明】
【００５８】
１…液晶表示装置
２…液晶表示パネル  ＰＸ…画素
３…アレイ基板  ４…対向基板  ５…液晶層
６…アクティブエリア
１５…バックライトユニット
２１…光源ユニット
Ｌ…発光ダイオード  Ｅ…発光面  Ｄ…発光軸
２２…導光板  ２２ａ…出射面  ２２ｃ…入射面
【図１】
2010056030.tif 000003
【図２】
2010056030.tif 000004
【図３】
2010056030.tif 000005
【図４】
2010056030.tif 000006
【図５】
2010056030.tif 000007
【図６】
2010056030.tif 000008
【図７】
2010056030.tif 000009